(57)【要約】【課題】車両用モバイル電話据置台を提供する。【解決手段】電源端子が備えられ、センターフェイシアパネルに形成されたドッキング部に装着されるモバイル電話据置台であって、前記ドッキング部に選択的に装着され、前記電源端子と結合する連結ピンが一端に備えられた支持台と、前記支持台の他端に回転可能に装着され、連結端子が備えられた中央クレードルと、前記中央クレードルの上部に配置され、モバイル電話の上部を支持する上部クレードルと、前記中央クレードルの内部に設けられ、モバイル電話の大きさに対応して前記上部クレードルを前記中央クレードルから選択的にスライド移動させる移動ユニットと、前記モバイル電話の充電端子に対応して前記連結端子と電気的に連結された充電コネクタが備えられ、前記中央クレードルに分離可能に組立てられ、前記モバイル電話の充電端子が前記充電コネクタに挿入され、前記モバイル電話を前記中央クレードルに固定させる充電ユニットとを含むことを特徴とする。【選択図】図１
2015126538.tif 000002
【特許請求の範囲】
【請求項１】
電源端子が備えられ、センターフェイシアパネルに形成されたドッキング部に装着されるモバイル電話据置台であって、
前記ドッキング部に選択的に装着され、前記電源端子と結合する連結ピンが一端に備えられた支持台と、
前記支持台の他端に回転可能に装着され、連結端子が備えられた中央クレードルと、
前記中央クレードルの上部に配置され、前記モバイル電話の上部を支持する上部クレードルと、
前記中央クレードルの内部に設けられ、モバイル電話の大きさに対応して前記上部クレードルを前記中央クレードルから選択的にスライド移動させる移動ユニットと、
前記モバイル電話の充電端子に対応して前記連結端子と電気的に連結された充電コネクタが備えられ、前記中央クレードルに分離可能に組立てられ、前記モバイル電話の充電端子が前記充電コネクタに挿入され、前記モバイル電話を前記中央クレードルに固定させる充電ユニットとを含むことを特徴とする車両用モバイル電話据置台。
【請求項２】
前記支持台は、
前記連結ピンが備えられるボディ部と、
前記ボディ部の一側に備えられるリリースボタンと、
前記リリースボタンの作動の有無によって、前記ドッキング部に形成されるフックホールに挿入され、前記ボディ部を前記ドッキング部に固定させる少なくとも１つ以上の固定フックとを含むことを特徴とする請求項１に記載の車両用モバイル電話据置台。
【請求項３】
前記連結ピンは、前記中央クレードルに形成される前記連結端子と電気的に連結されることを特徴とする請求項２に記載の車両用モバイル電話据置台。
【請求項４】
前記充電ユニットは、
前記モバイル電話の充電端子に対応して上部に前記充電コネクタが備えられ、前記連結端子に対応する一側に充電ピンが備えられた充電クレードルと、
前記充電クレードルを前記中央クレードルに固定させる挿入端と、
前記充電クレードルの内部で回転可能に装着され、充電クレードルを前記中央クレードルに固定させる係止フックと、
前記充電クレードルに回転可能に装着され、前記係止フックを選択的に回転させて、前記中央クレードルに係止フックを固定させたり、固定を解除させるフックボタンとを含むことを特徴とする請求項２に記載の車両用モバイル電話据置台。
【請求項５】
前記充電ピンは、前記充電コネクタと電気的に連結されることを特徴とする請求項４に記載の車両用モバイル電話据置台。
【請求項６】
前記中央クレードルには、
前記挿入端が挿入されて固定される挿入ホールが形成され、
前記係止フックが挿入されて固定される係止ホールが形成されることを特徴とする請求項４に記載の車両用モバイル電話据置台。
【請求項７】
前記充電コネクタは、
前記モバイル電話に形成された充電端子に対応してそのサイズと種類が多様に選択できることを特徴とする請求項４に記載の車両用モバイル電話据置台。
【請求項８】
前記移動ユニットは、
前記中央クレードルの内部で相互離隔した位置でレール溝に沿ってスライド移動可能に装着され、一端にガイドロッドが結合され、他端は前記上部クレードルに連結される第１、第２スライダと、
前記第１スライダに弾性力を提供する第１弾性部材と、
前記中央クレードルの内部で前記第１スライダの一側に装着され、前記第１スライダの移動速度を制御するダンパとを含むことを特徴とする請求項１に記載の車両用モバイル電話据置台。
【請求項９】
前記第１、第２スライダは、
前記中央クレードルの内部に備えられたガイダによってガイドされることを特徴とする請求項８に記載の車両用モバイル電話据置台。
【請求項１０】
前記第１スライダには、その一側に長さ方向に沿ってギヤ列が形成され、
前記ダンパには、
前記ギヤ列に対応して回転ギヤが回転可能に装着され、前記回転ギヤが前記ギヤ列に噛合することを特徴とする請求項８に記載の車両用モバイル電話据置台。
【請求項１１】
前記第２スライダには、一側に長さ方向に沿って一定間隔で切欠が形成され、
前記中央クレードルの内部で一端が外部に突出して装着され、前記切欠と噛合して前記第２スライダの移動を制限するロッカが備えられることを特徴とする請求項８に記載の車両用モバイル電話据置台。
【請求項１２】
前記ロッカには、
前記切欠に対応する一側に複数の係止突起が形成され、
前記係止突起が前記切欠に選択的に噛合することを特徴とする請求項１１に記載の車両用モバイル電話据置台。
【請求項１３】
前記ロッカの他端と、前記中央クレードルの内部に備えられた支持ブロックとの間に、第２弾性部材が挿入され、前記ロッカの他端を弾性支持することを特徴とする請求項１２に記載の車両用モバイル電話据置台。
【発明の詳細な説明】
【技術分野】
【０００１】
本発明は、車両用モバイル電話据置台に係り、より詳しくは、多様なモバイル電話の充電端子に対応して充電コネクタを変更可能に構成して、多様なモバイル電話に共用して適用できるようにする車両用モバイル電話据置台に関する。
【背景技術】
【０００２】
モバイル電話据置台は、ダッシュボードのようなパネルに接着剤を用いて取り付けたり、吸着板を用いて前面ガラスに取り付けて使用している。
【０００３】
ここで、従来のモバイル電話据置台のうち、接着剤を用いて車両に取り付ける場合には、時間が経過して接着剤成分の効果が低下した時、または使用者が任意に除去した時、接着剤成分が車両のパネルに残留してしまって美観上良くなく、残留接着剤を除去する際に車両のパネルも破損する場合が発生することがある。
【０００４】
また、前面ガラスに着脱する場合には、吸着板の効力が減少した時、据置台が前面ガラスから取り外されてモバイル電話が損傷したり、運行中の場合には、据置台が視覚を妨げ、据え置かれたモバイル電話の充電のために別の電源ジャックを電力ラインに連結して使用しなければならない煩雑さがある。そして、モバイル電話を充電するための電源ラインが外部に露出して車両室内の美観が低下する問題もある。
【０００５】
さらに、製造会社ごとに多様な大きさおよび形状に形成される充電端子に対応しにくく、モバイル電話の機種によってそれぞれ別の充電コネクタを有するように製作しなければならないので製作費用が増加し、製造会社ごとのモバイル電話に共用して適用しにくい問題も有している。
【先行技術文献】
【特許文献】
【０００６】
【特許文献１】特開平６−６２９９号公報
【発明の概要】
【発明が解決しようとする課題】
【０００７】
本発明は前記のような点に鑑みてなされたものであって、本発明の目的は、多様なモバイル電話の充電端子に対応して充電コネクタを変更可能に構成して、多様なモバイル電話に共用して適用できるようにする車両用モバイル電話据置台を提供することにある。
【課題を解決するための手段】
【０００８】
このような目的を達成するための、本発明のモバイル電話据置台は、電源端子が備えられ、センターフェイシアパネルに形成されたドッキング部に装着されるモバイル電話据置台であって、前記ドッキング部に選択的に装着され、前記電源端子と結合する連結ピンが一端に備えられた支持台と、前記支持台の他端に回転可能に装着され、連結端子が備えられた中央クレードルと、前記中央クレードルの上部に配置され、モバイル電話の上部を支持する上部クレードルと、前記中央クレードルの内部に設けられ、モバイル電話の大きさに対応して前記上部クレードルを前記中央クレードルから選択的にスライド移動させる移動ユニットと、前記モバイル電話の充電端子に対応して前記連結端子と電気的に連結された充電コネクタが備えられ、前記中央クレードルに分離可能に組立てられ、前記モバイル電話の充電端子が前記充電コネクタに挿入され、前記モバイル電話を前記中央クレードルに固定させる充電ユニットとを含むことを特徴とする。
【０００９】
前記支持台は、前記連結ピンが備えられるボディ部と、前記ボディ部の一側に備えられるリリースボタンと、前記リリースボタンの作動の有無によって、前記ドッキング部に形成されるフックホールに挿入され、前記ボディ部を前記ドッキング部に固定させる少なくとも１つ以上の固定フックとを含むことを特徴とする。
【００１０】
前記連結ピンは、前記中央クレードルに形成される前記連結端子と電気的に連結されることを特徴とする。
【００１１】
前記充電ユニットは、前記モバイル電話の充電端子に対応して上部に前記充電コネクタが備えられ、前記連結端子に対応する一側に充電ピンが備えられた充電クレードルと、前記充電クレードルを前記中央クレードルに固定させる挿入端と、前記充電クレードルの内部で回転可能に装着され、充電クレードルを前記中央クレードルに固定させる係止フックと、前記充電クレードルに回転可能に装着され、前記係止フックを選択的に回転させて、前記中央クレードルに係止フックを固定させたり、固定を解除させるフックボタンとを含むことを特徴とする。
【００１２】
前記充電ピンは、前記充電コネクタと電気的に連結されることを特徴とする。
【００１３】
前記中央クレードルには、前記挿入端が挿入されて固定される挿入ホールが形成され、前記係止フックが挿入されて固定される係止ホールが形成されることを特徴とする。
【００１４】
前記充電コネクタは、前記モバイル電話に形成された充電端子に対応してそのサイズと種類を多様に選択できることを特徴とする。
【００１５】
前記移動ユニットは、前記中央クレードルの内部で相互離隔した位置でレール溝に沿ってスライド移動可能に装着され、一端にガイドロッドが結合され、他端は前記上部クレードルに連結される第１、第２スライダと、前記第１スライダに弾性力を提供する第１弾性部材と、前記中央クレードルの内部で前記第１スライダの一側に装着され、前記第１スライダの移動速度を制御するダンパとを含むことを特徴とする。
【００１６】
前記第１、第２スライダは、前記中央クレードルの内部に備えられたガイダによってガイドされることを特徴とする。
【００１７】
前記第１スライダには、その一側に長さ方向に沿ってギヤ列が形成され、前記ダンパには、前記ギヤ列に対応して回転ギヤが回転可能に装着され、前記回転ギヤが前記ギヤ列に噛合することを特徴とする。
【００１８】
前記第２スライダには、一側に長さ方向に沿って一定間隔で切欠が形成され、前記中央クレードルの内部で一端が外部に突出して装着され、前記切欠と噛合して前記第２スライダの移動を制限するロッカが備えられることを特徴とする。
【００１９】
前記ロッカには、前記切欠に対応する一側に複数の係止突起が形成され、前記係止突起が前記切欠に選択的に噛合することを特徴とする。
【００２０】
前記ロッカの他端と、前記中央クレードルの内部に備えられた支持ブロックとの間に、第２弾性部材が挿入され、前記ロッカの他端を弾性支持することを特徴とする。
【発明の効果】
【００２１】
上述のように、本発明の実施形態にかかる車両用モバイル電話据置台によれば、センターフェイシアパネルに設けられたドッキング部を介して直接装着し、ドッキング部に備えられた電源端子と接触して電源が供給されるようにすることにより、別の電源ラインを必要とせず、美観を向上させる効果がある。
【００２２】
また、モバイル電話の長さ方向に高低を可変させる移動ユニットを介して、モバイル電話の大きさに合わせて上部クレードルを選択的に移動させるように構成することにより、多様な形状および大きさを有するモバイル電話に対応が可能で共用して適用することができる。
【００２３】
さらに、製造会社ごとに多様な大きさおよび形状に形成された充電端子を有するモバイル電話に対応して多様な大きさおよび形状に形成された充電コネクタを有する充電クレードルを、モバイル電話据置台に組立可能に構成することにより、充電端子の形状に応じたモバイル電話ごとの据置台を購入する時に発生する費用を低減できる効果がある。
【図面の簡単な説明】
【００２４】
【図１】本発明の実施形態にかかる車両用モバイル電話据置台の側面図である。
【図２】本発明の実施形態にかかる車両用モバイル電話据置台に適用される移動ユニットの構成図である。
【図３】本発明の実施形態にかかる車両用モバイル電話据置台に適用される移動ユニットの構成図である。
【図４】図１のＡ−Ａ線に対する断面構成図である。
【図５】本発明の実施形態にかかる車両用モバイル電話据置台に適用される充電ユニットの装着方法を示す図である。
【発明を実施するための形態】
【００２５】
以下、添付した図面を参考にして、本発明の実施形態について、本発明の属する技術分野における当業者が容易に実施できるように詳細に説明する。
しかし、本発明は、種々の異なる形態で実現可能であり、ここで説明する実施形態に限定されない。
【００２６】
明細書全体にわたって同一の参照番号で表示された部分は同一の構成要素を意味する。
図面において、様々な層および領域を明確に表現するために厚さを拡大して示した。
層、膜、領域、板などの部分が他の部分の「上に」あるとする時、これは、他の部分の真上にある場合だけでなく、その中間にさらに他の部分がある場合も含む。
逆に、ある部分が他の部分の「真上に」あるとする時には、中間に他の部分がないことを意味する。
【００２７】
明細書全体において、ある部分がある構成要素を「含む」とする時、これは、特に反対となる記載がない限り、他の構成要素を除くのではなく、他の構成要素をさらに包含できることを意味する。
【００２８】
以下、本発明の好ましい実施形態を、添付した図面に基づいて詳細に説明する。
【００２９】
図１は、本発明の実施形態にかかる車両用モバイル電話据置台の側面図であり、図２および図３は、本発明の実施形態にかかる車両用モバイル電話据置台に適用される移動ユニットの構成図であり、図４は、図１のＡ−Ａ線に対する断面構成図である。
【００３０】
図面を参照すれば、本発明の実施形態にかかる車両用モバイル電話据置台１００は、図１に示しているように、車両室内のセンターフェイシアパネル３に形成され、電源端子７が備えられたドッキング部５に装着される。本発明の実施形態にかかる車両用モバイル電話据置台１００は、支持台１１０と、中央クレードル１２０と、上部クレードル１３０と、移動ユニット１４０と、充電ユニット１６０とを含む。
【００３１】
本明細書において、モバイル電話は、スマートフォン、携帯電話などの移動電話を含むのはもちろん、タブレットＰＣ、ＰＤＡなど、データをやり取り可能な端末を含む広義の概念で理解する必要がある。
【００３２】
前記支持台１１０は、前記ドッキング部５に選択的に装着され、前記電源端子７に結合する連結ピン１１１がその一端に備えられる。
【００３３】
このような支持台１１０は、ボディ部１１３と、リリースボタン１１５と、固定フック１１７とを含む。
【００３４】
前記ボディ部１１３には前記連結ピン１１１が備えられる。
【００３５】
このようなボディ部１１３の一側には前記リリースボタン１１５が備えられ、前記固定フック１１７は、少なくとも１つ以上備えられ、前記リリースボタン１１５の作動の有無によって、前記ボディ部１１３の一端でスライド移動可能に構成される。前記固定フック１１７が前記ドッキング部５に形成されたフックホール９に挿入され、前記ボディ部１１３を前記ドッキング部５に固定させる。
【００３６】
ここで、前記固定フック１１７は、図１に示しているように、３つ備えられ、前記連結ピン１１１がその間に備えられているが、これに限定されるものではない。
【００３７】
前記中央クレードル１２０は、前記支持台１１０の他端に回転可能に装着され、一端部に連結端子１２１が備えられる。
【００３８】
ここで、前記連結ピン１１１は、前記連結端子１２１と前記ボディ部１１３の内部に備えられた電線１２３を介して電気的に連結されてよい。
【００３９】
このように構成される前記中央クレードル１２０は、使用者が支持台１１０を中心に選択的に回転させて、モバイル電話１０を縦または横に位置することができる。
前記上部クレードル１３０は、前記中央クレードル１２０の上部に配置され、前記モバイル電話１０の上部を固定する。
【００４０】
そして、前記移動ユニット１４０は、前記中央クレードル１２０の内部に設けられ、多様な大きさを有する前記モバイル電話１０に対応して前記上部クレードル１３０を前記中央クレードル１２０から選択的にスライド移動させる。
【００４１】
ここで、前記移動ユニット１４０は、図２を参照すれば、第１、第２スライダ１４１、１４３と、第１弾性部材１４５と、ダンパ１４７とを含む。
【００４２】
前記第１、第２スライダ１４１、１４３は、前記中央クレードル１２０の内部で相互離隔した位置でレール溝１４２に沿ってスライド移動可能に装着され、その一端にガイドロッド１４４が連結され、その他端は前記上部クレードル１３０に連結される。
【００４３】
このような第１、第２スライダ１４１、１４３は、前記中央クレードル１２０の内部に備えられたガイダ１４９にガイドされてよい。
【００４４】
本実施形態において、前記第１弾性部材１４５は、前記第１スライダ１４１と前記中央クレードル１２０との間に介在し、前記第１スライダ１４１に弾性力を提供する。
【００４５】
前記第１弾性部材１４５の一端が前記第１スライダ１４１に支持され、他端は前記中央クレードル１２０の内部に支持されるコイルスプリングからなってよい。例えば、前記第１弾性部材１４５に前記第１スライダ１４１のガイドロッド１４４が挿入された状態で配置されてよい。
【００４６】
前記第１スライダ１４１が前記中央クレードル１２０の内部で前記レール溝１４２に沿ってスライド移動すると、前記第１スライダ１４１に連結した前記上部クレードル１３０、および前記上部クレードル１３０に連結した前記第２スライダ１４３も、前記レール溝１４２に沿ってスライド移動する。
【００４７】
前記ダンパ１４７は、前記中央クレードル１２０の内部で前記第１スライダ１４１の一側に装着され、前記第１スライダ１４１の移動速度を制御する。
【００４８】
前記第１スライダ１４１には、前記ダンパに対応する一側に長さ方向に沿ってギヤ列１５１が形成されてよい。
【００４９】
前記ダンパ１４７には、前記ギヤ列１５１に対応して回転ギヤ１５３が装着され、前記回転ギヤ１５３が前記ギヤ列１５１に噛合する。
【００５０】
前記第１スライダ１４１が第１弾性部材１４５の弾性力によってスライド移動時、ギヤ列１５１に回転ギヤ１５３を介して噛合したダンパ１４７によってレール溝１４２上でスムーズにスライド移動できる。
【００５１】
一方、本実施形態において、前記第２スライダ１４３は、一側に長さ方向に沿って一定間隔で切欠１５５が形成され、前記切欠１５５に対応して前記中央クレードル１２０の内部で一端部が外部に突出して装着され、前記切欠１５５と噛合して前記第２スライダ１４３の移動を制限するロッカ１５７が備えられる。
【００５２】
前記ロッカ１５７には、前記切欠１５５に対応する一側に複数の係止突起１５８が形成され、前記係止突起１５８が前記切欠１５５に噛合してロッキングされ、使用者が外部に突出した前記ロッカ１５７の一端部を押す場合、前記切欠１５５からロッキングが解除できる。
【００５３】
このようなロッカ１５７の他端と、前記中央クレードル１２０の内部に備えられた支持ブロック１５６との間に、第２弾性部材１５９が挿入され、前記ロッカ１５７の他端を弾性支持できる。
【００５４】
前記第２弾性部材１５９は、支持ブロック１５６に一端が支持された状態で、前記ロッカ１５７の一端が中央クレードル１２０の外部に突出するように弾性力を提供することにより、前記係止突起１５８が前記切欠１５５に係止された状態を維持できる。
【００５５】
使用者が前記ロッカ１５７を押すと、前記係止突起１５８が前記切欠１５５からその結合が解除され、前記第１弾性部材１４５によって第１、第２スライダ１４１、１４３と前記上部クレードル１３０が上昇する。
【００５６】
この状態で、使用者がモバイル電話１０を前記中央クレードル１２０と前記上部クレードル１３０との間に位置させ、前記上部クレードル１３０を押すと、上部クレードル１３０がモバイル電話１０の上部に接触し、前記ロッカ１５７を押したことが解除されると、前記ロッカ１５７の係止突起１５８が第２弾性部材１５９の弾性力によって切欠１５５に係止された状態となることで、上部クレードル１３０が固定される。
【００５７】
このような作動により、モバイル電話１０は、その上部が上部クレードル１３０に固定可能になる。
【００５８】
前記充電ユニット１６０には、前記モバイル電話１０の充電端子に対応して充電コネクタ１６１が備えられ、前記充電ユニット１６０は、前記中央クレードル１２０に分離可能に組立てられ、前記モバイル電話１０の充電端子が前記連結端子１２１に電気的に連結された前記充電コネクタ１６１に挿入され、前記モバイル電話１０を前記中央クレードル１２０に固定させる。
【００５９】
前記充電ユニット１６０は、図４に示しているように、充電クレードル１６３と、挿入端１６５と、係止フック１６７と、フックボタン１６９とを含む。
【００６０】
前記充電クレードル１６３には、前記モバイル電話１０の充電端子に対応して前記充電コネクタ１６１が備えられ、前記連結端子１２１に挿入される充電ピン１６２が備えられる。
前記充電ピン１６２は、前記充電クレードル１６３の内部で前記充電コネクタ１６１と電気的に連結されてよい。
【００６１】
前記充電コネクタ１６１は、前記モバイル電話１０に形成された充電端子に対応して、前記充電クレードル１６３上に形状および大きさがそれぞれ異なるように形成されてよい。
【００６２】
つまり、前記充電ユニット１６０は、前記モバイル電話１０の充電端子の形状および大きさに応じて、それぞれ異なる形状および大きさを有する多様な充電コネクタ１６１が備えられてよいし、使用者が使用する製造会社ごとのモバイル電話１０の仕様に応じた充電端子に合わせた充電ユニット１６０を使用者が選択して前記中央クレードル１２０に装着することができる。
【００６３】
前記挿入端１６５は突出形成され、前記充電クレードル１６３の上部を前記中央クレードル１２０に固定させる。
【００６４】
前記係止フック１６７は、前記挿入端１６５の下部で一端部が前記充電クレードル１６３の一面に突出した状態で、前記充電クレードル１６３の内部で回転可能に装着され、前記充電クレードル１６３の下部を前記中央クレードル１２０に固定させる。
【００６５】
そして、前記フックボタン１６９は、係止フック１６７の他端部に対応して前記充電クレードル１６３の下部に備えられ、使用者の操作によって前記係止フック１６７を選択的に回転させて、前記中央クレードル１２０に係止フック１６７を固定させたり、固定を解除させる。
【００６６】
前記中央クレードル１２０には、前記挿入端１６５に対応して前記連結端子１２１の上部に前記挿入端１６５の挿入される挿入ホール１２５が形成され、前記挿入ホール１２５の下部で前記係止フック１６７が挿入されて固定される係止ホール１２７が形成されてよい。
前記充電クレードル１６３は、前記挿入端１６５が中央クレードル１２０の挿入ホール１２５に挿入された状態で、係止ホール１２７に係止フック１６７が挿入して固定されることにより、中央クレードル１２０の下部に固定される。
【００６７】
前記係止フック１６７の回転中心にはトーションスプリング１６８が装着され、係止フック１６７を初期位置に維持させるように弾性力を提供し、前記フックボタン１６９は、板スプリング１７０によって弾性支持できる。
【００６８】
このように構成される充電ユニット１６０が中央クレードル１２０に装着される手順を、添付した図５を参照して説明する。
【００６９】
図５は、本発明の実施形態にかかる車両用モバイル電話据置台に適用される充電ユニットの装着方法を示す図である。
【００７０】
まず、使用者は、モバイル電話据置台１００に据え置くモバイル電話１０の充電端子の仕様に合わせた充電コネクタ１６１が備えられた充電ユニット１６０を選択した後、図５のＳ１のように、前記充電クレードル１６３をつかみ、前記挿入端１６５を挿入ホール１２５に挿入する。
【００７１】
この状態で、使用者は、挿入端１６５を挿入ホール１２５に挿入して、図５のＳ２のように、係止フック１６７が係止ホール１２７に係止されるようにする。この時、使用者がフックボタン１６９を押して、前記フックボタン１６９を回転し前記係止ホール１２７に容易に挿入してもよい。
【００７２】
使用者は、図５のＳ３のように、係止フック１６７を係止ホール１２７に挿入した状態で、前記フックボタン１６９を押して、前記係止フック１６７を前記係止ホール１２７から分離してもよい。
【００７３】
使用者は、前述のような過程の繰り返しにより、中央クレードル１２０にモバイル電話１０の充電端子に対応してそれぞれ異なる大きさおよび形状を有する充電コネクタ１６１が備えられた充電ユニット１６０のうち、１つを選択して装着することができる。
【００７４】
一方、本発明の実施形態にかかる車両用モバイル電話据置台１００を説明するにあたり、本実施形態では、中央クレードル１２０から移動ユニット１４０を介して上部クレードル１３０が上下方向に移動することを一実施形態として説明しているが、これに限定したものではなく、前述のように構成される移動ユニット１４０の作動方向を左右側に変更し、この移動ユニット１４０を介して左右方向にそれぞれ移動する左右クレードルを介してモバイル電話１０を幅方向に固定させるように構成してもよい。
【００７５】
したがって、このように構成される本発明の実施形態にかかる車両用モバイル電話据置台１００を適用すれば、センターフェイシアパネル３に設けられたドッキング部５を介して直接装着可能にしながら、ドッキング部５に含まれている電源端子７と接触して電源が供給されるようにして、別の電源ラインを除去することができ、美観を向上することができる。
【００７６】
また、モバイル電話１０の長さ方向に高低を可変させる移動ユニット１４０を介して、モバイル電話１０の大きさに合わせて上部クレードル１３０を選択的に移動できるように構成することによって、多様な形状および大きさを有するモバイル電話１０に対応可能であり共用して適用できる。
【００７７】
さらに、製造会社ごとに多様な大きさおよび形状に形成された充電端子を有するモバイル電話１０に対応して多様な大きさおよび形状に形成した充電コネクタ１６１を有する充電クレードル１６３を、モバイル電話据置台１００に組立可能に構成することにより、充電端子の形状に応じたモバイル電話１０ごとの据置台を購入する時に発生する費用を低減することができる。
【００７８】
以上、本発明は、限定した実施形態および図面によって説明したが、本発明はこれによって限定されず、本発明の属する技術分野における当業者によって本発明の技術的範囲内で多様な修正および変形が可能である。
【産業上の利用可能性】
【００７９】
本発明は、多様なモバイル電話に共用して使用できる車両用モバイル電話据置台の分野に適用できる。
【符号の説明】
【００８０】
３  センターフェイシアパネル
５  ドッキング部
７  電源端子
９  フックホール
１０  モバイル電話
１００  モバイル電話据置台
１１０  支持台
１１１  連結ピン
１１３  ボディ部
１１５  リリースボタン
１１７  固定フック
１２０  中央クレードル
１２１  連結端子
１２３  電線
１２５  挿入ホール
１２７  係止ホール
１３０  上部クレードル
１４０  移動ユニット
１４１、１４３  第１、第２スライダ
１４２  レール溝
１４４  ガイドロッド
１４５  第１弾性部材
１４７  ダンパ
１４９  ガイダ
１５１  ギヤ列
１５３  回転ギヤ
１５５  切欠
１５６  支持ブロック
１５７  ロッカ
１５８  係止突起
１５９  第２弾性部材
１６０  充電ユニット
１６１  充電コネクタ
１６２  充電ピン
１６３  充電クレードル
１６５  挿入端
１６７  係止フック
１６９  フックボタン
【図１】
2015126538.tif 000003
【図２】
2015126538.tif 000004
【図３】
2015126538.tif 000005
【図４】
2015126538.tif 000006
【図５】
2015126538.tif 000007